(57)【要約】【課題】小便器と組み合わせて快適に使用できる小便器用手すりを提供する。【解決手段】壁面に取り付けられた小便器の左右において前記壁面に取り付けられ、前記壁面からそれぞれ前方に延出した一対の基部と、前記一対の基部の先端から斜め上方に延びる一対の傾斜部と、前記一対の傾斜部の先端の間に設けられ、前記壁面と略平行な水平方向に延在する部分を有する水平部と、を備えたことを特徴とする小便器用手すりが提供される。【選択図】図１
2008253295.tif 000002
【特許請求の範囲】
【請求項１】
壁面に取り付けられた小便器の左右において前記壁面に取り付けられ、前記壁面からそれぞれ前方に延出した一対の基部と、
前記一対の基部の先端から斜め上方に延びる一対の傾斜部と、
前記一対の傾斜部の先端の間に設けられ、前記壁面と略平行な水平方向に延在する部分を有する水平部と、
を備えたことを特徴とする小便器用手すり。
【請求項２】
前記水平部は、前記基部の前記先端よりも後退してなることを特徴とする請求項１記載の小便器用手すり。
【請求項３】
前記基部は、略直線状であることを特徴とする請求項１または２に記載の小便器用手すり。
【請求項４】
前記傾斜部は、略直線状であることを特徴とする請求項１〜３のいずれか１つに記載の小便器用手すり。
【請求項５】
前記水平部は、略直線状であることを特徴とする請求項１〜４のいずれか１つに記載の小便器用手すり。
【請求項６】
前記傾斜部は、前記小便器の前記ボウル開口の左右の側辺部と略平行であることを特徴とする請求項１〜５のいずれか１つに記載の小便器用手すり。
【発明の詳細な説明】
【技術分野】
【０００１】
本発明は、小便器用手すりに関し、具体的には、小便器に取り付けられる小便器用手すりに関する。
【背景技術】
【０００２】
小便器に手すりを組み合わせることにより、身体に障害をもたれた方や高齢者などでも楽に小便器を使用することができる。小便器に組み合わせる通常の手すりは、小便器の両側から上下一対のサイドバーがそれぞれ突出し、これら左右のサイドバーの上を横バーがつないだ形態を有する。手すりを利用する使用者は、その上体を横バーにもたれかかるようにして、小便器を使用する。
【特許文献１】特開平０８−１６４０９３号公報
【発明の開示】
【発明が解決しようとする課題】
【０００３】
しかし、小便器と組み合わせられる手すりを利用して小便器を快適に使うためには、改善の余地がある。  
本発明は、かかる課題の認識に基づいてなされたものであり、小便器と組み合わせて快適に使用できる小便器用手すりを提供する。
【課題を解決するための手段】
【０００４】
本発明の一態様によれば、壁面に取り付けられた小便器の左右において前記壁面に取り付けられ、前記壁面からそれぞれ前方に延出した一対の基部と、前記一対の基部の先端から斜め上方に延びる一対の傾斜部と、前記一対の傾斜部の先端の間に設けられ、前記壁面と略平行な水平方向に延在する部分を有する水平部と、を備えたことを特徴とする小便器用手すりが提供される。
【発明の効果】
【０００５】
本発明によれば、小便器と組み合わせて快適に使用できる小便器用手すりが提供される。
【発明を実施するための最良の形態】
【０００６】
以下、図面を参照しつつ、本発明の実施の形態について説明をする。なお、各図面中、同様の構成要素には同一の符号を付す。
【０００７】
図１は、本発明の実施の形態に係る小便器用手すりが設置されたトイレ室を例示する模式図である。  
また、図２は、本実施形態の小便器用手すりを例示する３面図である。
【０００８】
図１に例示したトイレ室の壁面９００には、ライニングユニット１００が設置され、このライニングユニット１００の前面（壁面）１１０に小便器２００と手すり３００が取り付けられている。ライニングユニット１００は、その内部に小便器２００に洗浄水を供給する給水管や、小便器２００からの排水を排出する排水管１４０（図５参照）、また、電磁弁や人体検知センサなどの接続のための電気配線や、臭気を吸引する脱臭管、さらにマイクロ波センサ１５０（図５参照）などを適宜収容している。ライニングユニット１００の前面１１０は、これらの要素を収容するためにトイレ室の壁面９００よりも突出している。つまり、トイレ室の壁面９００は、ライニングユニット１００の上面１２０の奥行き（矢印Ａの方向の長さ）だけ後退している。なお、本実施形態においては、ライニングユニット１００を設けずに、小便器２００と手すり３００をトイレ室の壁面９００に取り付けてもよい。
【０００９】
本実施形態の手すり３００は、ライニングユニット１００の前面（壁面）１１０に対して略垂直に前方（矢印Ａの方向）に突出した一対の基部３１０と、基部３１０の先端から上方かつ斜め後方にそれぞれ延びた一対の傾斜部３２０と、ライニングユニット１００の前面に対して平行かつ略水平方向に延在しこれら傾斜部３２０の先端をつなぐ水平部３３０と、を有する。これら基部３１０、傾斜部３２０、水平部３３０は、それぞれ略直線状に形成することができる。また、本具体例においては、水平部３３０は、基部３１０の先端よりも後退（矢印Ａとは反対の方向）した位置に設けられている。つまり、傾斜部３２０は、水平部３３０に向かって後退する方向に傾斜している。
【００１０】
一方、本実施形態における小便器２００は、斜め上方に向けて開口したボウル面２３０を有する。すなわち、小便器２００のボウル開口の下端２２０は使用者からみて手前側（矢印Ａの方向）にあり、一方、ボウル開口の上端２１０は使用者からみて後方（矢印Ａとは反対の方向）に後退している。その結果、小便器２００の上面２４０の奥行き（矢印Ａの方向の長さ）は、小便器２００の奥行き（ライニングユニット１００の前面１１０から小便器２００のボウル開口の下端２２０までの長さ）に比べて顕著に小さい。その結果、後に詳述するように、小便器２００を上方から眺めた時に、そのボウル面２３０のほぼ全体を見ることができる。
【００１１】
このように、小便器２００のボウル面２３０を斜め上方に向けて開口すると、使用者に開放感を与え、見栄えがよくすっきりとしたデザインになる。さらに、使用者に与える圧迫感を大幅に減らすことができる。つまり、使用者は従来よりも小便器２００に近づきやすくなる。その結果として、尿をボウル面２３０に確実に落下させることができ、小便器２００の手前の床面に尿を落とすことが抑制される。つまり、すっきりとしたデザインで見栄えのよいトイレ室が、さらに清潔に使用されることによって、使用者に快適な使用感を与えるという重畳的な効果が得られる。
【００１２】
また、小便器２００の上面２４０を後退させ、ボウル面２３０を上方に向けて開放することにより、清掃も容易となり、その結果としてさらに清潔な状態を維持することができる。すなわち、水垢や汚れなどの少ない清潔な小便器２００を維持できる。
【００１３】
そして、本実施形態においては、小便器２００の上面２４０よりも手すり３００の水平部３３０の方が高い位置に設けられている。また、ライニングユニット１００の上面１２０は、手すり３００の水平部３３０よりも低い位置に設けることができる。
【００１４】
小便器２００の上面２４０よりも手すり３００の水平部３３０を高い位置に設けることにより、手すりを利用する使用者の圧迫感が大幅に低減する。また、ライニングユニット１００の上面１２０を手すり３００の水平部３３０よりも低い位置に設けると、使用者に開放感を与え圧迫感はさらに低減する。  
またさらに、手すり３００の傾斜部３２０を小便器２００のボウル面２３０の開口端（リムライン）のうちの左右の側辺部２５０と略同一の傾斜とすることにより、見栄えがよくすっきりとした外観が得られる。つまり、小便器２００のリムラインに対して略平行に傾斜した傾斜部３２０によって小便器２００の左右を取り囲むことにより、使用者に安心感を与え、小便器２００に近づきやすくなる。
【００１５】
図３は、本実施形態の小便器用手すりの使用形態を例示する模式図である。  
使用者８００は、手すり３００の傾斜部３２０や水平部３３０をつかむことにより、小便器２００に確実且つ容易に近づくことができる。後に詳述するように、車椅子に乗った使用者が小便器２００に近づき、車椅子８５０の位置決めをする際に、ある程度ラフに行っても、両手で傾斜部３２０の一番力の入る場所を選んで楽に立ち上がることができる。  
傾斜部３２０は、ほぼ直線状に延びているので、使用者が左右の手で傾斜部３２０を交互に上方に向けて持ち替えながら車椅子から立ち上がる動作も、確実且つ容易に実行できる。
【００１６】
そして、図３に表したように、使用者８００は片手で水平部３００をつかみ、体重を前方にかけて上体を手すり３００の水平部３３０にもたれさせた状態で小便器２００を使用することができる。または、使用者８００は、体重を前方にかけて上体を水平部３３０にもたれさせ、両手を水平部３３０から離した状態で小便器２００を使用することも可能である。この場合には、使用者は自由な両手を使って小便器２００を使用できる。
【００１７】
図４は、比較例の小便器用手すりを表す模式図である。  
本比較例においても、ライニングユニット１００の前面１１０に小便器２００と手すり３００とが取り付けられている。ただし、本比較例の手すり３００は、小便器２００の両側においてライニングユニット１００の前面１１０に上下に取り付けられた一対の基部３１０が前面１１０に対して略垂直に前方に突出し、これら左右の基部３１０のうちの上側のバーから略垂直上方に垂直部３４０が延び、これら垂直部３４０の先端を水平部３３０がつなぐ構造を有する。
【００１８】
また、本比較例の小便器２００は、そのボウル開口の上端２１０が使用者からみてあまり後退しておらず、上面２４０の奥行きが大きい。つまり、上方から小便器２００を眺めたときに、ボウル面２３０の全体を見ることは困難である。
【００１９】
次に、車椅子に乗った使用者が小便器用手すりを使用する場合について説明する。  
図５は、車椅子に乗った使用者が本実施形態の小便器用手すりに接近する様子を表した模式図である。  
また、図６は、車椅子に乗った使用者が図４に関して前述した比較例の小便器用手すりに接近する様子を表した模式図である。
【００２０】
まず、図６に表した比較例から説明する。  
本比較例の小便器ユニットに設けられた手すり３００は、ライニングユニット１００の前面１１０（または小便器２００や手すり３００が取り付けられるトイレ室の壁面）から略水平方向に前方（矢印Ａの方向）に延びた基部３１０を有する。車椅子８５０に乗った使用者８００が小便器２００に接近する場合、使用者８００は基部３１０の先端を持って立上る上で力の入る位置を考えながら車椅子８５０の位置決めを行い、車椅子８５０を停止させ、ブレーキを掛ける。そして、両手で基部３１０の先端を持って立ち上がる動作を開始する。
【００２１】
この時、図６（ｂ）に表したように、車椅子８５０から立ち上がる際には、使用者８００は水平方向に延びた基部３１０をつかんで力を入れる必要がある。しかし、本比較例のように基部３１０が使用者８００のほうに向かって水平方向に延びていると、使用者８００が基部３１０をつかんで力を入れることが難しく、適当に車椅子８５０の位置決めをしてしまうと、腕の力が入らず立上れないことになる。すなわち、図６（ｂ）に表したように、基部３１０の上側のバーは、車椅子８５０に乗った使用者８００の上腕８３０あるいは肩の高さとほぼ同一の高さにある。つまり、使用者８００が基部３１０の上側のバーをつかんだ時、その上腕８３０は図６（ｂ）に表したようにほぼ水平となる。このような状態から基部３１０を下方に押し出すように力を入れて立ち上がることはやや難しく、力をかけにくいという点で改善の余地がある。
【００２２】
また一方、基部３１０から鉛直上方に立ち上がる垂直部３４０をつかむことにより立ち上がることも考えられる。しかし、図６（ｂ）から分かるように、車椅子８５０の使用者は、小便器２００下部に車椅子８５０のフットレスト８６０が当らない位置で停止する必要があり、垂直部３４０は使用者８００からは遠い位置にある。このため、使用者８００が垂直部３４０に手を伸ばしても届かず、何とか届いても、力を入れることは難しい。従って、比較例の手すりの場合、基部３１０の先端を掴んで立上った後に、基部３１０を伝いながら前に移動し、小便器２００の前に立つことになるため、ツーアクションの動作となる。
【００２３】
これに対して、図５（ａ）に表したように、本実施形態においては、使用者８００は車椅子８５０の停止位置によって基部３１０と傾斜部３２０の一番力が入る場所を握ることができるため、手すり３００との位置関係を気にせず、車椅子８５０の位置決めをして、停止させることができる。また、使用者８００は、後方（矢印Ａとは反対の方向）に傾斜した傾斜部３２０の下側から上側に向けて順次つかみ直すことにより、楽に立ち上がることができる。
【００２４】
そしてさらに、本具体例においては、小便器２００の下部の突出が抑制され、車椅子８５０に乗った使用者８００が小便器２００の直近まで接近できる。  
図７は、車椅子に乗った使用者が本実施形態の小便器用手すりに対して十分に接近した状態を表す模式図である。  
車椅子８５０に乗った使用者８００は、通常、車椅子８５０のフットレスト８６０に足８２０を乗せている。これに対して、本実施形態の小便器２００は下部の突出が抑制され、フットレスト８６０とその上にのった使用者８００の足８２０が小便器２００に対して十分に接近できるようにされている。
【００２５】
図８は、小便器２００に接近した状態を表す模式平面図であり、図８（ａ）は本実施形態の場合、図８（ｂ）は比較例の場合をそれぞれ表す。  
図８（ｂ）に表した比較例の場合、小便器２００の下部は前方（矢印Ａの方向）に湾曲して突出している。車椅子８５０のフットレスト８６０の高さにおける小便器２００の輪郭線を図８（ｂ）に破線で表した。このように破線で表した小便器２００の下部の突出部が車椅子８５０のフットレスト８６０と干渉してしまい、使用者８００はこれ以上小便器２００に接近することができない。
【００２６】
これに対して、本具体例においては、図８（ａ）に破線で表したように、小便器２００の下部の突出が抑制されている。その結果として、車椅子８５０に乗った使用者８００は小便器２００の直近まで接近できる。ライニングユニット１００の前面１１０から車椅子８５０の後端までの距離Ｌ１についてみると、比較例における距離Ｌ２よりもかなり小さいことが分かる。このように、本実施形態によれば、小便器２００の下部の突出を抑制することにより、車椅子８５０に乗った使用者８００が小便器２００の直近まで接近できる。
【００２７】
この後、フットレスト８６０を傾斜させたり降下させて、使用者８００は足８２０を床面に降ろす。この位置まで車椅子８５０で接近できると、図９（ｂ）に関して後述するように、手すりの水平部３３０まで手が届き、水平部３３０を持って立上ることで、ワンアクションで小便器２００の前に立つことが可能である。その後、立ち上がると、小便器２００のボウル開口の下端２２０は使用者８００の股下にあるので、尿を床面にこぼすことなくボウル面２３０に確実に落下させることができる。  
また、車椅子８５０を小便器２００の直近まで寄せて距離Ｌ１を小さくすることにより、使用者８００は背後のスペースに気を遣うことなく安心して小便器２００を使用できる。つまり、車椅子８５０を小便器２００にあまり近づけることができないと図８（ｂ）に表したように距離Ｌ２が長くなる。すると、例えば車椅子８５０の背後を他の使用者などが通過する際の妨げとなる。車椅子８５０を利用する使用者８００は、このように周囲に迷惑をかけると感ずると、安心して小便器２００を使用することができない。
【００２８】
これに対して、本実施形態によれば、車椅子８５０を小便器２００の直近まで寄せることができるので、車椅子８５０の背後のスペースも広がり、使用者８００は周囲に気を遣わずに安心して小便器２００を使用できる。
【００２９】
図９は、本実施形態の小便器用手すりを用いて使用者が車椅子から立ち上がる動作を説明するための模式図である。  
図９（ａ）に表したように小便器２００の直近まで接近した使用者８００は、図９（ｂ）に表したように、手すり３００の水平部３３０を片手または両手でつかみ、フットレスト８６０から足８２０を降ろして、楽に立ち上がることができる。また、手すり３００の水平部３３０がやや高いと感じる場合には、傾斜部３２０の上方をつかんでも楽に立ち上がることができる。本実施形態の手すり３００は、後方（矢印Ａとは反対の方向）に向けて傾斜した傾斜部３２０を有するので、使用者８００は、この傾斜部３２０のうちで一番力が入る部分を自由に選んでつかむことができる。
【００３０】
またこのようにして立ち上がる際に、使用者８００は自分の腕８４０や肘８３５を傾斜部８２０にあてがうことができる。このようにすると、力が入りやすくなり、さらに楽に立ち上がることができる。
【００３１】
またこの時、使用者８００の足８２０は小便器２００の直近にあるので、使用者８００は前傾姿勢になることなく足８２０に体重を掛けた安定した状態で、手すり３００を引き寄せることにより楽に立ち上がることができる。そして、そのまま足８２０を踏み換えることなく、小便器２００を使用することができる。つまり、本実施形態によれば、小便器２００の直近まで車椅子８５０を引き寄せ、その後立ち上がって、小便器２００を使用するという一連の動作をスムーズ且つ楽に行うことができる。特に、小便器２００の直近まで車椅子８５０を引き寄せた後、立ち上がる動作と小便器２００を使用する動作をワンステップで連続的に行うことができる。
【００３２】
図１０は、本実施形態の小便器用手すりの使用形態を例示する模式図である。  
また、図１１は、図４に表した比較例の小便器用手すりの使用形態を例示する模式図である。
【００３３】
まず、図１１に表した比較例から説明する。  
図３に関して前述したように、手すり３００を利用する使用者８００は、体重を前方にかけて上体をやや前傾させ水平部３３０にもたれさせた状態で小便器２００を使用する。しかし、本比較例の場合、使用者８００が手すり３００の水平部３３０に上体をもたれさせると、使用者の視線８１０は小便器２００の上面２４０により遮られてしまう。すなわち、本比較例の場合、小便器２００の上面２４０があまり後退していない。その結果として、図１１に表したように、使用者８００が上体を手すり３００の水平部３３０にもたれさせた時に、小便器２００のボウル面２３０を見ることができない。つまり、使用者８００の視線８１０は、小便器２００の上面２４０により遮られてしまう。
【００３４】
小便器２００の上面２４０が突出していると、使用者８００は、使用状態の自分の手元や小便器２００のボウル面２３０を見ることも困難となり、使い勝手がよくない。このため、使用者８００は、やはり水平部３３０に対して十分に体重をかけることができず、水平部３３０からやや離れた不安定な状態で小便器２００を使用せざるを得ないこととなる。また、使用者８００が自分の手元や小便器２００のボウル面２３０を見るため、水平部３３０に上体をもたれせる代わりに、小便器２００の左右に突出した基部３１０のいずれかにもたれかかった状態で小便器２００を使用することもある。このような場合、小便器２００に対して斜め方向から使用することになるので、尿をボウル面２３０に確実に落下させることができず、トイレ室の床面に尿をこぼすこともある。
【００３５】
小便器２００を使用するときにボウル面２３０が見えないと、尿の状態も分からない。尿の色や勢い、あるいは量などを確認することは、健康管理のために重要であり、特に身体に障害をもった方や高齢者にとって、尿の色や状態を容易に確認できるようにすべきである。
【００３６】
これに対して、比較例の小便器ユニットにおいては、使用者８００が水平部３３０に体重を十分にかけることができず、上体をやや前傾させた安定した姿勢で自分の手元やボウル面２３０を見ながら小便器２００を使用することが困難であった。
【００３７】
これに対して、本実施形態の場合、図１０に表したように、小便器２００の上面２４０が後退しているので、使用者８００が上体を手すり３００の水平部３３０にもたれさせた状態においても、自分の手元だけでなくボウル面２３０のほぼ全体を見ることができる。
【００３８】
図１２（ａ）は実施形態の小便器２００を鉛直上方から眺めた模式図であり、図１２（ｂ）は比較例の小便器２００を上方から眺めた模式図である。  
本比較例の場合、図１２（ｂ）に表したように、小便器２００の上面２４０が使用者からみて手前側に延出し、使用者の視線を遮ることが分かる。使用者８００が手すり３００の水平部３３０に上体をもたれさせた状態においては、図１１に表したように使用者８００の目の直下には小便器２００の上面２４０が延在し、使用者８００はボウル面２３０ばかりでなく、自分の手元を見ることも容易ではない。
【００３９】
これに対して、図１２（ａ）に表したように、本実施形態によれば、小便器２００の上面２４０はライニングユニット１００の前面１１０の方向に後退しているので、鉛直上方から眺めてもボウル面２３０のほぼ全体が見える。そして、図１０に表したように、使用者８００は手すり３００の水平部３３０に体重をかけて上体をもたれさせた状態においても、自分の手元だけでなく、ボウル面２３０のほぼ全体を見ることができる。つまり、使用者８００の視線が小便器２００の上面２４０により遮られることがない。その結果として、使用者８００は自分の手元を確実に確認でき、ズボンのチャックの開閉なども確実且つ容易に実施できる。
【００４０】
そして本実施形態によれば、使用者８００は尿の色や状態まで容易に確認することができる。小便器２００を使用する際に尿の色や状態を確認するためには、ボウル面２３０のできるだけ広い範囲を見れることが必要である。つまり、尿の色や状態を確認するためには、ボウル面２３０に落下し流れる尿を見る必要がある。これに対して、本実施形態においては使用者が体重を前方にかけて手すり３００の水平部３３０に上体をもたれさせても、ボウル面２３０を流れる尿の色や状態を観察できる。
【００４１】
つまり、使用者８００は安心して手すり３００の水平部３３０に体重をあずけ、上体をやや前傾させた安定した姿勢で手元やボウル面２３０を見ながら楽に小便器２００を使用することができる。このような姿勢で小便器２００を使用する場合、使用者８００は小便器２００に対して十分に近づくことができるので、尿を確実にボウル面２３０に落下させることができ、トイレの床面に尿をこぼすことも防止できる。
【００４２】
このように手すりを利用する使用者が自分の手元やボウル面２３０を見ることができるようにするために、少なくとも小便器２００のボウル開口の上端２１０は、手すり３００の水平部３３０よりも後退していることが望ましい。つまり、ライニングユニット１００の前面１１０（または小便器２００や手すり３００が取り付けられるトイレ室の壁面）から小便器２００のボウル開口の上端２１０までの距離は、ライニングユニット１００の前面１１０（または小便器２００や手すり３００が取り付けられるトイレ室の壁面）から手すり３００の水平部３３０までの距離よりも小さいことが望ましい。
【００４３】
ところで、小便器２００の上面を後退させた場合、従来の赤外線センサを小便器２００の上部に内蔵させることが困難となる。これに対して、図１０に表した具体例においては、小便器２００の裏側のライニングユニット１００の中にマイクロ波センサ１５０を設けている。マイクロ波センサ１５０は、マイクロ波を放射し、その反射波に含まれるドップラー成分などに基づいて使用者８００の接近や尿流などを検知することができる。また、マイクロ波は陶器を透過するので、図１０に表したように小便器２００の後ろ側に配置することができる。このようにして、小便器２００の上面２４０を顕著に後退させボウル面を斜め上方に開放させた小便器２００において、人体や尿流を検知し洗浄水を自動的に流すことが可能となる。
【００４４】
以上説明したように、本実施形態によれば、手すり３００を利用する使用者が圧迫感を感ずることなく、安心して手すり３００の水平部３３０に体重をかけて安定した状態で小便器２００を使用することができる。また、車椅子を利用する場合も、車椅子を小便器の直近まで接近させ、立ち上がる動作と小便器を使用する動作をワンステップでスムーズかつ楽に行うことができる。またさらに、その状態で、自分の手元やボウル面を確実に見ることができ、使い勝手がよいとともに尿の色や状態を確認することによる健康管理も確実に実行できる小便器ユニットを提供できる。
【００４５】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。例えば、ライニングユニット、小便器、手すりなどの形状、構造、寸法、数、材質、配置などは、例示したものに限定されるわけではなく適宜変更することができる。  
また、前述した各実施例が備える各要素は、可能な限りにおいて組み合わせることができ、これらを組み合わせたものも本発明の特徴を含む限り本発明の範囲に包含される。
【図面の簡単な説明】
【００４６】
【図１】本発明の実施の形態に係る小便器用手すりが設置されたトイレ室を例示する模式図である。
【図２】本実施形態の小便器用手すりを例示する３面図である。
【図３】本実施形態の小便器用手すりの使用形態を例示する模式図である。
【図４】比較例の小便器用手すりを表す模式図である。
【図５】車椅子に乗った使用者が本実施形態の小便器用手すりに接近する様子を表した模式図である。
【図６】車椅子に乗った使用者が図４及び図６に関して前述した比較例の小便器用手すりに接近する様子を表した模式図である。
【図７】車椅子に乗った使用者が本実施形態の小便器用手すりに対して十分に接近した状態を表す模式図である。
【図８】小便器２００に接近した状態を表す模式平面図であり、（ａ）は本実施形態の場合、（ｂ）は比較例の場合をそれぞれ表す。
【図９】本実施形態の小便器用手すりにおいて使用者が車椅子から立ち上がる動作を説明するための模式図である。
【図１０】本実施形態の小便器用手すりの使用形態を例示する模式図である。
【図１１】図４に表した比較例の小便器用手すりの使用形態を例示する模式図である。
【図１２】（ａ）は実施形態の小便器２００を鉛直上方から眺めた模式図であり、（ｂ）は比較例の小便器２００を上方から眺めた模式図である。
【符号の説明】
【００４７】
１００ ライニングユニット、１１０ 前面、１２０ 上面、１４０ 排水管、１５０ マイクロ波センサ、２００ 小便器、２１０ 上端、２２０ 下端、２３０ ボウル面、２４０ 上面、２５０ 側辺部、３００ 水平部、３１０ 基部、３２０ 傾斜部、３３０ 水平部、３４０ 垂直部、８００ 使用者、８１０ 視線、８２０ 傾斜部、８２０ 足、８３０ 上腕、８３５ 肘、８４０ 腕、８５０ 車椅子、８６０ フットレスト、９００ 壁面
【図１】
2008253295.tif 000003
【図２】
2008253295.tif 000004
【図３】
2008253295.tif 000005
【図４】
2008253295.tif 000006
【図５】
2008253295.tif 000007
【図６】
2008253295.tif 000008
【図７】
2008253295.tif 000009
【図８】
2008253295.tif 000010
【図９】
2008253295.tif 000011
【図１０】
2008253295.tif 000012
【図１１】
2008253295.tif 000013
【図１２】
2008253295.tif 000014